(57)【特許請求の範囲】
【請求項１】
複数のメンバーを指定してグループ通話が開始されると、前記指定したメンバーのうち前記グループ通話に参加しているメンバーを管理し、前記指定したメンバーのうち前記グループ通話に参加していないメンバーから当該グループ通話に参加しているメンバーの問い合わせを受けると、前記管理しているグループ通話参加メンバーの情報に基づいて、前記問い合わせを行ったメンバーに対して、前記指定したメンバーに関連付けて、当該グループ通話に参加しているメンバーに関する情報を通知するグループ通話通知方法。
【請求項２】
自局を識別する識別情報を用いて、自局を指定しているグループ通話が開始されているか否かを問い合わせる要求を送信する送信手段と、
該送信手段により送信した問い合わせ要求に対応して前記自局を指定しているグループ通話に関する情報を取得する取得手段と、
該取得手段により取得した前記自局を指定しているグループ通話に関する情報に基づいて、当該グループ通話の初期メンバーを表示する表示手段と、
を備える移動局。
【請求項３】
自局を識別する識別情報を用いて、自局を指定しているグループ通話が開始されているか否かを問い合わせる要求を送信する送信手段と、
該送信手段により送信した問い合わせ要求に対応して前記自局を指定しているグループ通話に関する情報を取得する取得手段と、
着信履歴の情報を記憶する記憶手段と、を備え、
前記取得手段は、前記問い合わせ要求に対応して取得した前記自局を指定しているグループ通話に関する情報を着信履歴として前記記憶手段に記憶することを特徴とする移動局。
【請求項４】
着信履歴として前記記憶手段に記憶している前記自局を指定しているグループ通話に関する情報を用いて、新たなグループ通話の開始要求を生成して発呼する発呼手段を備えることを特徴とする請求項３記載の移動局。
【請求項５】
グループ通話への呼び出し要求が届いていない移動局であって、
自局を識別する識別情報を用いて、自局を指定しているグループ通話が開始されているか否かを問い合わせる要求を送信する送信手段と、
該送信手段により送信した問い合わせ要求に対応して前記自局を指定しているグループ通話に関する情報を取得する取得手段と、
該取得手段により取得した前記自局を指定しているグループ通話に関する情報を表示する表示手段と、
を備える移動局。
【発明の詳細な説明】
【技術分野】
【０００１】
本発明は、発信側の移動局である発信側移動局と前記発信側移動局によって指定された複数の移動局である指定移動局とを含むグループを初期グループとして、パケット交換ネットワークに接続されたサーバーを介して行われるグループ通話において用いられるグループ通話通知方法及び移動局に関する。
【背景技術】
【０００２】
従来、発信側移動局と発信側移動局によって指定された複数の移動局（以下、指定移動局）とによるグループを初期グループとして、パケット交換ネットワークを通じて音声通信が行われる“グループ通話”が知られている。
【０００３】
グループ通話では、ＳＩＰ（Ｓｅｓｓｉｏｎ  Ｉｎｉｔｉａｔｉｏｎ  Ｐｒｏｔｏｃｏｌ）を用いて、パケット交換ネットワークに接続されたＳＩＰサーバーが、グループ通話に参加する各移動局の呼制御を行う。
【０００４】
具体的には、発信側移動局が、ＳＩＰサーバーに対して、複数の指定移動局の呼び出し要求（ＩＮＶＩＴＥ）を送信する。
【０００５】
ここで、各指定移動局がＳＩＰサーバーから発信側移動局からの呼び出し要求（ＩＮＶＩＴＥ）を受信するためには、各指定移動局は、ＳＩＰサーバーにログイン（登録）することが要求される。しかしながら、各指定移動局は常にＳＩＰサーバーにログインしているわけではない。
【０００６】
そこで、ＳＩＰサーバーは、指定移動局の呼出要求（ＩＮＶＩＴＥ）を発信側移動局から受信すると、各指定移動局に対してＳＩＰサーバーへのログインを要求するＳＭＳ情報（ＳＭＳ（Ｓｈｏｒｔ  Ｍｅｓｓｅａｇｅ  Ｓｅｒｖｉｃｅ）情報）の送信要求を回線交換ネットワークに接続されたＳＭＳサーバーに送信する。続いて、ＳＭＳサーバーは、ＳＩＰサーバーへのログインを要求するＳＭＳ情報を各指定移動局に送信する。ＳＭＳ情報を受信した指定移動局は、ＳＩＰサーバーにログインすることによって、発信側移動局からの呼び出し要求（ＩＮＶＩＴＥ）を受信する。なお、指定移動局は、発信側移動局からの呼び出し要求（ＩＮＶＩＴＥ）を受信することによって、初期グループに含まれる各移動局の情報を受信し、各移動局を把握することができる。
【０００７】
このように、グループ通話では、発信側移動局が、ＳＩＰサーバーに対して、複数の移動局を指定した呼び出し要求（ＩＮＶＩＴＥ）を送信することによって、グループ通話が開始される。また、発信側移動局からの呼び出し要求（ＩＮＶＩＴＥ）を受信した指定移動局は、ＳＩＰサーバーに対して応答（２００  ＯＫを送信）することによって、グループ通話に参加する。
【０００８】
一方、グループ通話に参加中の移動局（参加中移動局）からグループ通話に途中参加するように誘われることによって、初期グループに含まれる移動局であるがグループ通話に参加していない指定移動局（未参加移動局）や初期グループに含まれていない移動局が、グループ通話に途中参加することができる。
【０００９】
具体的には、参加中移動局は呼び出し要求（ＩＮＶＩＴＥ）を送信することによって未参加移動局や初期グループに含まれていない移動局をグループ通話に途中参加するように誘う。
【非特許文献１】“ＳＩＰ：Ｓｅｓｓｉｏｎ  Ｉｎｉｔｉａｔｉｏｎ  Ｐｒｏｔｏｃｏｌ”、ＲＦＣ３２６１
【発明の開示】
【発明が解決しようとする課題】
【００１０】
しかしながら、未参加移動局が、回線交換ネットワークのエリア外に在圏しており、ＳＭＳ情報を受信することができなかった指定移動局である場合、未参加移動局は、自局が初期グループに含まれるグループ通話が開始されたことに気付かない。
【００１１】
また、未参加移動局が、パケット交換ネットワークのエリア外に在圏しており、ＳＩＰサーバーにログインすることができなかった指定移動局である場合、未参加移動局は、自局が初期グループに含まれるグループ通話が開始されたことに気付いても、初期グループに含まれる自局以外の他の移動局を把握することはできない。
【００１２】
したがって、未参加移動局が、回線交換ネットワークのエリア外や、パケット交換ネットワークのエリア外に在圏している場合、当然ながら自局が初期グループに含まれるグループ通話の参加中移動局を把握することもできない。
【００１３】
さらに、未参加移動局が、発信側移動局からの呼び出し要求（ＩＮＶＩＴＥ）を受信しても応答（２００  ＯＫを送信）しなかった指定移動局である場合、すなわち、未参加移動局が回線交換ネットワークのエリア内及びパケット交換ネットワークのエリア内に在圏している場合に、初期グループに含まれる全ての移動局を把握することはできても、未参加移動局は、当該呼び出し要求（ＩＮＶＩＴＥ）に応答することにより開始されるグループ通話に参加しない限り、このグループ通話の参加中移動局を把握することは出来ない。
【００１４】
特に、参加中移動局から誘われることによって、未参加移動局や初期グループに含まれていない移動局がグループ通話に途中参加することが出来るシステムの場合、自局が初期グループに含まれるグループ通話であっても、途中からこのグループ通話に参加して参加中移動局を把握することさえ出来ないという問題点があった。
【００１５】
そこで、本発明は以上の点に鑑みてなされたものであり、グループ通話に参加していない未参加移動局であっても、自局が初期グループに含まれるグループ通話の参加中移動局を把握することを可能とするグループ通話通知方法及び移動局を提供することを目的とする。
【課題を解決するための手段】
【００１６】
本発明の第１の特徴は、複数のメンバーを指定してグループ通話が開始されると、前記指定したメンバーのうち前記グループ通話に参加しているメンバーを管理し、前記指定したメンバーのうち前記グループ通話に参加していないメンバーから当該グループ通話に参加しているメンバーの問い合わせを受けると、前記管理しているグループ通話参加メンバーの情報に基づいて、前記問い合わせを行ったメンバーに対して、前記指定したメンバーに関連付けて、当該グループ通話に参加しているメンバーに関する情報を通知するグループ通話通知方法であることを要旨とする。
【００１７】
かかる特徴によれば、グループ通話に参加していないメンバー（未参加移動局）であっても、自局を指定しているグループ通話に参加しているメンバー（参加中移動局）に関する情報を取得することができる。
【００１８】
本発明の第２の特徴は、自局を識別する識別情報を用いて、自局を指定しているグループ通話が開始されているか否かを問い合わせる要求を送信する送信手段と、該送信手段により送信した問い合わせ要求に対応して前記自局を指定しているグループ通話に関する情報を取得する取得手段と、該取得手段により取得した前記自局を指定しているグループ通話に関する情報に基づいて、当該グループ通話の初期メンバーを表示する表示手段とを備える移動局であることを要旨とする。
【００２１】
本発明の第３の特徴は、自局を識別する識別情報を用いて、自局を指定しているグループ通話が開始されているか否かを問い合わせる要求を送信する送信手段と、該送信手段により送信した問い合わせ要求に対応して前記自局を指定しているグループ通話に関する情報を取得する取得手段と、着信履歴の情報を記憶する記憶手段と、を備え、前記取得手段は、前記問い合わせ要求に対応して取得した前記自局を指定しているグループ通話に関する情報を着信履歴として前記記憶手段に記憶する移動局であることを要旨とする。
【００２２】
本発明の第３の特徴において、着信履歴として前記記憶手段に記憶している前記自局を指定しているグループ通話に関する情報を用いて、新たなグループ通話の開始要求を生成して発呼する発呼手段を備えてもよい。
本発明の第４の特徴は、グループ通話への呼び出し要求が届いていない移動局であって、自局を識別する識別情報を用いて、自局を指定しているグループ通話が開始されているか否かを問い合わせる要求を送信する送信手段と、該送信手段により送信した問い合わせ要求に対応して前記自局を指定しているグループ通話に関する情報を取得する取得手段と、該取得手段により取得した前記自局を指定しているグループ通話に関する情報を表示する表示手段と、を備える移動局であることを要旨とする。
【発明の効果】
【００２３】
本発明によれば、グループ通話に参加していない未参加移動局であっても、自局が初期グループに含まれるグループ通話の参加中移動局を把握することを可能とするグループ通話通知方法及び移動局を提供することができる。
【発明を実施するための最良の形態】
【００２４】
（無線通信ネットワークの概略構成）
図１を参照し、本実施形態に係る無線通信ネットワーク１の概略構成について説明する。
【００２５】
本明細書において、グループ通話とは、ＶｏＩＰ（Ｖｏｉｃｅ  ｏｖｅｒ  ＩＰ）通信の一種であるＰＴＴ（Ｐｕｓｈ−ｔｏ−Ｔａｌｋ）や、テレビ電話会議など、主に複数端末間での音声通信、音声通信と映像等の非音声通信を融合して構成されるものを含むものとする。
【００２６】
図１に示すように、無線通信ネットワーク１は、ＳＩＰサーバー４００と、ＳＭＳ（Ｓｈｏｒｔ  Ｍｅｓｓａｇｅ  Ｓｅｒｖｉｃｅ）サーバー５００とを備えている。また、本実施形態に係る複数の移動局１００（移動局１００Ａ〜１００Ｃ）は、基地局２００ａとパケット交換ネットワーク３００ａとを介してＳＩＰサーバー４００に、基地局２００ｂと回線交換ネットワーク３００ｂとを介してＳＭＳサーバー５００に接続可能に構成されている。
【００２７】
パケット交換ネットワーク３００ａでは、一の移動局１００（発信側移動局）と一の移動局１００によって指定された他の移動局１００（指定移動局）とを含むグループを初期グループとして、ＳＩＰサーバー４００介して、複数の移動局１００（メンバー）によるグループ通話が行われる。
【００２８】
なお、グループ通話は、一の移動局１００（発信側移動局）が、一の移動局１００によって指定された他の移動局１００（指定移動局）の呼び出し要求（ＩＮＶＩＴＥ）をＳＩＰサーバー４００に送信し、他の移動局１００（指定移動局）が当該呼び出し要求（ＩＮＶＩＴＥ）に応答することによって開始される。
【００２９】
以下、本実施形態では、移動局１００Ａをグループ通話の発信側の移動局である発信側移動局、移動局１００Ｂ、１００Ｃを発信側移動局によって指定された複数の移動局である指定移動局、すなわち、移動局１００Ａ〜１００Ｃを初期グループに含まれる初期グループ移動局として、グループ通話が行われるものとする。また、移動局１００Ａ、１００Ｂを当該グループ通話に参加している移動局である参加中移動局、移動局１００Ｃを当該グループ通話に参加していない未参加移動局として説明を行う。
【００３０】
回線交換ネットワーク３００ｂに接続されているＳＭＳサーバー５００は、メッセージサービス（ショートメッセージサービス）を提供し、回線交換ネットワークを介して、移動局１００Ａ〜１００ＣとＳＭＳ情報の送受信が可能な機能を有する。
【００３１】
ここでＳＭＳ情報とは、例えば、ＳＩＰサーバー４００へのログインを要求する情報（プッシュ型ＳＭＳ（ログイン要求））等である。
【００３２】
また、ＳＭＳサーバー５００は、ＳＩＰサーバー４００へのログインを要求するＳＭＳ情報の送信要求（ＳＭＳ送信要求）をＳＩＰサーバー４００から受信する。
【００３３】
（ＳＩＰサーバーの構成）
図２を参照し、無線通信ネットワーク１において用いられるＳＩＰサーバー４００の構成について説明する。
【００３４】
図２に示すように、ＳＩＰサーバー４００は、グループ通話管理ＤＢ４１０と、呼制御処理部４２０と、グループ登録部４３０と、検索部４４０と、問い合わせ処理部４５０とを具備する。
【００３５】
また、以下、本発明との関連がある部分について主に説明する。したがって、ＳＩＰサーバー４００は、ＳＩＰサーバー４００としての機能を実現する上で必須な、図示しない或いは説明を省略した論理ブロック（電源部など）を備える場合があることに留意されたい。
【００３６】
グループ通話管理ＤＢ４１０は、グループ通話を行う移動局１００Ａ〜１００Ｃを管理するためのグループ通話情報として、図３に示す情報を記憶する。
【００３７】
ここで、グループ通話情報とは、グループ通話管理ＤＢ４１０に関連付けて記憶されている発信側移動局の識別情報、発信日時（開始日時）、初期メンバーの識別情報、参加中メンバーの識別情報、グループ通話ステータスを総称するものとする。
【００３８】
グループ通話管理ＤＢ４１０は、図３に示すように、発信側移動局の識別情報と、発信日時と、初期メンバーの識別情報と、参加中メンバーの識別情報と、グループ通話ステータスとを関連付けて記憶するものである。
【００３９】
ここで、発信日時（開始日時）とは、発信側移動局（例えば、移動局１００Ａ）が指定移動局（例えば、移動局１００Ｂ、１００Ｃ）の呼び出し要求（ＩＮＶＩＴＥ）を送信した日時、すなわち、発信側移動局と指定移動局を初期グループとしてグループ通話を開始した日時である。なお、グループ通話は、発信側移動局の識別情報と、発信日時によって一意に特定される。
【００４０】
また、初期メンバーの識別情報とは、初期グループに含まれる移動局である初期グループ移動局（例えば、移動局１００Ａ〜１００Ｃ）の識別情報である。参加中メンバーの識別情報とは、参加中移動局（例えば、移動局１００Ａ、１００Ｂ）の識別情報である。
【００４１】
なお、上述の発信側移動局の識別情報、初期メンバーの識別情報、参加中移動局の識別情報とは、例えば、電話番号、Ｅ−ＭＡＩＬアドレス、ＳＩＰサーバーへのログイン処理によって取得されたＩＰアドレス等である。
【００４２】
また、グループ通話ステータスとは、グループ通話が継続中か終了済みかを識別するステータスである。
【００４３】
呼制御処理部４２０は、グループ通話を行う移動局１００Ａ〜１００Ｃの呼制御を行う。具体的には、呼制御処理部４２０は、移動局１００Ａ〜１００ＣとＳＩＰ情報を送受信する。
【００４４】
ここで、ＳＩＰ情報とは、発信側移動局から指定移動局への呼び出し要求（ＩＮＶＩＴＥ）や、参加中移動局から未参加移動局への呼び出し要求（ＩＮＶＩＴＥ）や、自局に対する呼び出し要求（ＩＮＶＩＴＥ）の送信要求（ＩＮＦＯ）などである。また、ＳＩＰ情報は、ＳＩＰで用いられる各種メッセージ（１００Ｔｒｙｉｎｇ、１８０Ｒｉｎｇｉｎｇ、２００ＯＫ、ＡＮＳＥＷＥＲなど）である。
【００４５】
なお、発信側移動局から指定移動局への呼び出し要求（ＩＮＶＩＴＥ）には、発信側移動局の識別情報と、上述の発信日時、初期メンバーの識別情報が含まれている。
【００４６】
また、呼制御処理部４２０は、指定移動局の呼出要求（ＩＮＶＩＴＥ）を発信側移動局から受信すると、ＳＩＰサーバー４００へのログインを要求するＳＭＳ情報の送信要求（ＳＭＳ送信要求）をＳＭＳサーバー５００に送信する。
【００４７】
グループ登録部４３０は、グループ通話管理ＤＢ４１０へのグループ通話情報の追加、削除、更新などを行う。
【００４８】
具体的には、グループ登録部４３０は、呼制御処理部４１０によって受信した発信側移動局から指定移動局を呼び出す呼び出し要求（ＩＮＶＩＴＥ）に含まれている発信側移動局の識別情報と、発信日時と、初期メンバーの識別情報とを関連付けてグループ通話管理ＤＢ４１０に記憶する。このとき、グループ登録部４３０は、発信側移動局の識別情報を参加中メンバーの識別情報としてグループ通話管理ＤＢ４１０に登録する。
【００４９】
また、グループ登録部４３０は、呼制御処理部４２０が発信側移動局からの呼び出し要求（ＩＮＶＩＴＥ）に対する応答（２００  ＯＫ）を指定移動局から受信した場合、上述の参加中メンバーの識別情報に当該指定移動局の識別情報を追加する。
【００５０】
同様に、グループ登録部４３０は、呼制御処理部４２０が参加中移動局が行った未参加移動局の呼び出し要求（ＩＮＶＩＴＥ）に対する応答（２００  ＯＫ）を当該未参加移動局から受信した場合、上述の参加中メンバーの識別情報に当該応答した移動局の識別情報を追加する。
【００５１】
さらに、グループ登録部４３０は、呼制御処理部４２０が参加中移動局からのＢＹＥを受信した場合、上述の参加中メンバーの識別情報から当該離脱した移動局の識別情報を削除する。
【００５２】
検索部４４０は、グループ通話管理ＤＢ４１０を参照し、後述する問い合わせ処理部４５０が受信した未参加移動局の識別情報と一致する識別情報を初期メンバーの識別情報から検索する。また、検索部４４０は、グループ通話管理ＤＢ４１０において、一致する未参加移動局の識別情報に関連付けられている発信側移動局の識別情報、発信日時、初期メンバーの識別情報、参加中メンバーの識別情報、グループ通話ステータスを抽出することが可能である。
【００５３】
問い合わせ処理部４５０は、未参加移動局（移動局１００Ｃ）から、初期グループとして自局が含まれるグループ通話に関する情報を問い合わせる問い合わせ要求を受信する。なお、かかる問い合わせ要求には、未参加移動局の識別情報が含まれている。
【００５４】
問い合わせ処理部４５０は、検索部４４０によって抽出されたグループ通話情報を未参加移動局（移動局１００Ｃ）に送信する。
【００５５】
尚、本実施例では、グループ通話管理ＤＢ４１０、呼制御処理部４２０、グループ登録部４３０、検索部４４０、問い合わせ処理部４５０をＳＩＰサーバー４００の機能として説明しているが、これに限らず他のサーバーとの組み合わせで構成されても良い。
【００５６】
（移動局の構成）
図４乃至５を参照し、無線通信ネットワーク１において用いられる移動局１００の構成について説明する。
【００５７】
なお、移動局１００Ａ〜移動局１００Ｃは同様の構成を有しているため、以下においては、これらを移動局１００と総称して説明する。
【００５８】
図４に示すように、移動局１００は、アンテナ１０１と、ＲＦ／ＩＦ変換器１０２と、パワーアンプ１０３と、音声入出力部１０４と、映像入出力部１０５と、コーデック部１０６と、ベースバンドプロセッサ１０７と、操作部１０８と、メモリ１０９と、ＣＰＵ１１０とを有する。
【００５９】
アンテナ１０１は、パケット交換ネットワーク３００ａと回線交換ネットワーク３００ｂとに接続された基地局２００ａ、ｂによって送信される信号（受信信号）を受信する。また、アンテナ１０１は、パケット交換ネットワーク３００ａと回線交換ネットワーク３００ｂとに接続された基地局２００ａ、ｂに対して信号（送信信号）を送信する。
【００６０】
ＲＦ／ＩＦ変換器１０２は、アンテナ１０１によって受信された受信信号の周波数（無線周波数（Ｒａｄｉｏ  Ｆｒｅｑｕｅｎｃｙ））をベースバンドプロセッサ１０７で扱われる周波数（中間周波数（Ｉｎｔｅｒｍｅｄｉａｔｅ  Ｒｆｅｑｕｅｎｃｙ））に変換する。また、ＲＦ／ＩＦ変換器１０２は、ベースバンドプロセッサ１０７から取得した送信信号の周波数（中間周波数（ＩＦ））を無線通信で用いられる周波数（無線周波数（ＲＦ））に変換する。なお、ＲＦ／ＩＦ変換器１０２は、無線周波数（ＲＦ）に変換された送信信号をパワーアンプ１０３に入力する。
【００６１】
パワーアンプ１０３は、ＲＦ／ＩＦ変換器１０２から取得した送信信号を増幅して、増幅された送信信号をアンテナ１０１に入力する。
【００６２】
音声入出力部１０４は、音声を集音するマイク１０４ａと、音声を出力するスピーカ１０４ｂとを有する。マイク１０４ａは、集音された音声に基づいて音声信号をコーデック部１０６に入力し、スピーカ１０４ｂは、コーデック部１０６から取得した音声信号に基づいて音声を出力する。
【００６３】
映像入出力部１０５は、被写体を撮像するカメラ１０５ａと、文字や映像などを表示する表示部１０５ｂとを有する。カメラ１０５ａは、撮像された映像（静止画像や動画像）に基づいて映像信号をコーデック部１０６に入力し、表示部１０５ｂは、コーデック部１０６から取得した映像信号に基づいて映像を表示する。なお、表示部１０５ｂは、操作部１０８を用いて入力される文字なども表示する。
【００６４】
本実施形態において、表示部１０５ｂは、ＣＰＵ１１０の指示に基づいて、図８に示すように、ＳＩＰサーバー４００から受信したグループ通話情報（少なくとも自局を指定したグループ通話の存在（開始）の有無）を表示する。
【００６５】
コーデック部１０６は、所定の符号化方式（例えば、ＥＶＲＣ）に従って音声信号の符号化及び復号を行う音声コーデック部１０６ａと、所定の符号化方式（例えば、ＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）−４など）に従って映像信号の符号化及び復号を行う映像コーデック部１０６ｂとを有する。
【００６６】
音声コーデック部１０６ａは、音声入出力部１０４から取得した音声信号を符号化し、ベースバンドプロセッサ１０７から取得した音声信号を復号する。映像コーデック部１０６ｂは、映像入出力部１０５から取得した映像信号を符号化し、ベースバンドプロセッサ１０７から取得した映像信号を復号する。
【００６７】
ベースバンドプロセッサ１０７は、所定の変調方式（ＢＰＳＫ（Ｂｉｎａｒｙ  Ｐｈａｓｅ  Ｓｈｉｆｔ  Ｋｅｙｉｎｇ）やＱＰＳＫ（Ｑｕａｄｒａｔｕｒｅ  Ｐｈａｓｅ  Ｓｈｉｆｔ  Ｋｅｙｉｎｇ））などに従って送信信号の変調や受信信号の復調を行う。具体的には、ベースバンドプロセッサ１０７は、コーデック部１０６から取得した音声信号や映像信号などのベースバンド信号を変調して、変調されたベースバンド信号（送信信号）をＲＦ／ＩＦ変換器１０２に入力する。また、ベースバンドプロセッサ１０７は、ＲＦ／ＩＦ変換器１０２から取得した受信信号を復調して、復調された受信信号（ベースバンド信号）をコーデック部１０６に入力する。
【００６８】
ベースバンドプロセッサ１０７は、ＣＰＵ１１０によって生成された情報（ＳＭＳ情報やＳＩＰ情報や問い合わせ要求）を変調して、変調された情報（送信信号）をＲＦ／ＩＦ変換器１０２に入力する。また、ベースバンドプロセッサ１０７は、ＲＦ／ＩＦ変換器１０２から取得した受信信号を復調して、復調された受信信号（ＳＭＳ情報やＳＩＰ情報やグループ通話情報）をＣＰＵ１１０に入力する。
【００６９】
操作部１０８は、文字や数字などを入力する入力キー、グループ通話を開始するための発呼キー、着信（呼び出し）に応答するための応答キー、グループ通話の問い合わせを行うための問い合わせキーなどによって構成されたキー群である。また、操作部１０８は、各キーが押下されると、押下されたキーに対応する入力信号をＣＰＵ１１０に入力する。なお、問い合わせについては、ソフトキーなどで対応可能である。
【００７０】
メモリ１０９は、移動局１００の動作を制御するためのプログラム、着信履歴やアドレス帳のような各種データなどを記憶する。なお、メモリ１０９は、例えば、不揮発性の半導体メモリであるフラッシュメモリや揮発性の半導体メモリであるＳＲＡＭ（Ｓｔａｔｉｃ  Ｒａｎｄｏｍ  Ａｃｃｅｓｓ  Ｍｅｍｏｒｙ）などによって構成される。
【００７１】
具体的には、メモリ１０９は、移動局１００の識別情報を記憶する。ここで、移動局１００の識別情報とは、移動局１００の電話番号、移動局１００のＥ−ＭＡＩＬアドレス、ＳＩＰサーバーへのログイン処理によって取得した移動局１００のＩＰアドレス等である。
【００７２】
また、メモリ１０９は、着信履歴を記憶する。尚、メモリは着脱式のメモリにより構成することも可能である。
【００７３】
なお、着信履歴では、グループ通話情報は、図３を参照して説明したＳＩＰサーバー４００のグループ通話管理ＤＢ４１０の構成と同様に、受信した発信側移動局の識別情報と、発信日時と、初期メンバーの識別情報と、参加中メンバーの識別情報と、グループ通話ステータスとが関連付けられて記憶されている。
【００７４】
また、着信履歴は、ＳＩＰサーバー４００から受信した発信側移動局からの呼び出し要求（ＩＮＶＩＴＥ）に基づいて更新される。また、着信履歴は、ＳＩＰサーバー４００から受信したグループ通話情報に基づいて更新される。
【００７５】
ＣＰＵ１１０は、メモリ１０９に記憶されたプログラムに従って、移動局１００（映像入出力部１０５、コーデック部１０６、ベースバンドプロセッサ１０７など）の動作を制御する。
【００７６】
図５は、本実施形態に係るＣＰＵ１１０の構成を示すブロック図である。
【００７７】
図５に示すように、ＣＰＵ１１０は、グループ通話処理部１１１と、問い合わせ処理部１１２と、着信履歴更新部１１３と、途中参加処理部１１４とを有する。
【００７８】
グループ通話処理部１１１は、ＳＩＰ（Ｓｅｓｓｉｏｎ  Ｉｎｉｔｉａｔｉｏｎ  Ｐｒｏｔｏｃｏｌ）に従って、グループ通話に関する処理を行う。
【００７９】
例えば、グループ通話処理部１１１は、操作部１０８から取得した入力信号に応じて、他の移動局１００からの呼び出しに応答する処理などを行う。具体的には、グループ通話処理部１１１は、ベースバンドプロセッサ１０７から取得したＳＩＰ情報（発信側移動局からの呼び出し要求（ＩＮＶＩＴＥ））に応じてＳＩＰ情報（１８０  Ｒｉｎｇｉｎｇや２００  ＯＫなど）を生成して、生成されたＳＩＰ情報をベースバンドプロセッサ１０７に入力する。
【００８０】
また、グループ通話処理部１１１は、メモリ１０９に記憶されている着信履歴に基づいて、移動局１００を発信側移動局として、終了したグループ通話の初期メンバーを呼び出す処理（いわゆるリダイヤル）などを行う。具体的には、グループ通話処理部１１１は、メモリ１０９に記憶されている着信履歴に基づいて、ＳＩＰ情報（終了したグループ通話の初期メンバーの呼び出し要求（ＩＮＶＩＴＥ）、すなわち終了したグループ通話の初期メンバーをメンバーとする新たなグループ通話の開始要求）を生成して、生成されたＳＩＰ情報をベースバンドプロセッサ１０７に入力する。
【００８１】
また、グループ通話処理部１１１は、ＳＭＳサーバー５００から受信したＳＭＳ情報（ＳＭＳ（ログイン要求））をベースバンドプロセッサ１０７から取得する。また、グループ通話処理部１１１は、ＳＩＰサーバー４００へのログイン処理（登録処理）を行う。
【００８２】
問い合わせ処理部１１２は、初期グループに移動局１００が含まれるグループ通話の情報を問い合わせるための処理を行う。
【００８３】
具体的には、問い合わせ処理部１１２は、操作部１０８からの入力信号に基づいて、初期グループに移動局１００が含まれるグループ通話の情報（少なくとも自局を指定しているグループ通話の存在（開始）の有無）を取得することを要求する問い合わせ要求を生成する。また、問い合わせ処理部１１２は、問い合わせ要求に、メモリ１０９に記憶されている移動局１００の識別情報を含める。問い合わせ処理部１１２は、生成した問い合わせ要求をベースバンドプロセッサ１０７に入力する。
【００８４】
なお、問い合わせ要求は、パケット交換ネットワーク３００ａを介してＳＩＰで用いられるメッセージ（ＩＮＦＯメッセージなど）としてＳＩＰサーバー４００に送信される。
【００８５】
また、問い合わせ処理部１１２は、ＳＩＰサーバー４００から送信されたグループ通話情報をベースバンドプロセッサ１０７から取得する。
【００８６】
また、問い合わせ処理部１１２は、取得したグループ通話情報に基づいて、図８に示すような情報を表示部１０５ｂに表示する。
【００８７】
着信履歴更新部１１３は、取得したグループ通話情報に基づいて、メモリ１０９に記憶されている着信履歴を更新する。
【００８８】
途中参加処理部１１４は、操作部１０８からの入力信号に基づいて、グループ通話に途中参加するための処理を行う。
【００８９】
具体的には、途中参加処理部１１４は、メモリ１０９に着信履歴として記憶されている参加中移動局の識別情報に基づいて、移動局１００に対する呼び出し要求（ＩＮＶＩＴＥ）の送信要求（ＩＮＦＯ）を生成して、生成されたＳＩＰ情報（ＩＮＦＯ）をベースバンドプロセッサ１０７に入力する。
【００９０】
具体的には、途中参加処理部１１４は、ベースバンドプロセッサ１０７から取得したＳＩＰ情報（参加中移動局からの呼び出し要求（ＩＮＶＩＴＥ））に応じてＳＩＰ情報（１８０  Ｒｉｎｇｉｎｇや２００  ＯＫなど）を生成して、生成されたＳＩＰ情報をベースバンドプロセッサ１０７に入力する。
【００９１】
（通信方法）
以下、図６乃至図８を参照し、本実施形態に係る通信方法について説明する。
【００９２】
第１に、図６を参照し、移動局１００Ａを発信側移動局として、移動局１００Ａ〜１００Ｃを初期グループとしてグループ通話を開始する処理について説明する。
【００９３】
図６に示すように、ステップＳ１０１において、移動局１００Ａは、移動局１００Ｂ、１００Ｃを指定し、移動局１００Ａ〜１００Ｃを含む初期グループを形成する。
【００９４】
ステップＳ１０２において、移動局１００Ａは、ＳＩＰサーバー４００に対して、移動局１００Ｂ、１００Ｃの呼び出し要求（ＩＮＶＩＴＥ）を送信する。なお、上述のようにかかる移動局１００Ｂ、１００Ｃの呼び出し要求（ＩＮＶＩＴＥ）には、発信日時と、移動局１００Ａ〜１００Ｃの識別情報が含まれる。
【００９５】
ステップＳ１０３において、ＳＩＰサーバー４００は、グループ通話管理ＤＢ４１０へのグループ通話情報の登録処理を行う。具体的には、ＳＩＰサーバー４００は、上述の発信側移動局の識別情報（移動局１００Ａの識別情報）と、発信日時と、初期メンバーの識別情報（移動局１００Ａ〜１００Ｃの識別情報）と、参加メンバーの識別情報（移動局１００Ａの識別情報）とを関連付けて記憶する。
【００９６】
ステップＳ１０４において、ＳＩＰサーバー４００は、ＳＭＳサーバー５００に移動局１００Ｂ、１００ＣへのＳＭＳ送信要求を送信する。
【００９７】
ステップＳ１０５において、ＳＭＳサーバー５００は、移動局１００Ｂ、１００Ｃに対して、ＳＭＳ（ログイン要求）を送信する。ここで、ＳＭＳサーバー５００が、移動局１００Ｃに対して送信したＳＭＳ（ログイン要求）は送信エラーとなる。
【００９８】
ステップＳ１０６において、移動局１００Ｂは、ＳＩＰサーバー４００へのログイン処理を行う。
【００９９】
ステップＳ１０７において、ＳＩＰサーバー４００は、移動局１００Ａから受信した移動局１００Ｂの呼び出し要求（ＩＮＶＩＴＥ）を移動局１００Ｂに送信する。
【０１００】
ステップＳ１０８において、ＳＩＰサーバー４００は、移動局１００Ｂに呼び出し要求（ＩＮＶＩＴＥ）を送信したことを示すＳＩＰ情報（１００  Ｔｒｙｉｎｇ）を送信する。
【０１０１】
ステップＳ１０９において、移動局１００Ｂは、ＳＩＰサーバー４００に対して、呼び出し中であることを示すＳＩＰ情報（１８０  Ｒｉｎｇｉｎｇ）を送信する。
【０１０２】
ステップＳ１１０において、ＳＩＰサーバー４００は、ステップＳ１０９において受信したＳＩＰ情報（１８０  Ｒｉｎｇｉｎｇ）を移動局１００Ａに送信する。
【０１０３】
ステップＳ１１１において、移動局１００Ｂは、ＳＩＰサーバー４００に対して、応答成功示すＳＩＰ情報（２００  ＯＫ）を送信する。ここで、ＳＩＰ情報（２００  ＯＫ）には、移動局１００Ｂの識別情報が含まれている。
【０１０４】
ステップＳ１１２において、ＳＩＰサーバー４００は、グループ通話管理ＤＢ４１０へのグループ通話情報の更新処理を行う。具体的には、ＳＩＰサーバー４００は、ステップＳ１０３において登録した参加メンバーの識別情報（移動局１００Ｂの識別情報）に、移動局１００Ｂの識別情報を追加する。
【０１０５】
ステップＳ１１３において、ＳＩＰサーバー４００は、ステップＳ１１１において受信したＳＩＰ情報（２００  ＯＫ）を移動局１００Ａに送信する。
【０１０６】
ステップＳ１１４において、移動局１００Ａは、ＳＩＰ情報（ＡＣＫ）をＳＩＰサーバー４００に送信する。
【０１０７】
ステップＳ１１５において、ＳＩＰサーバー４００は、ステップＳ１１４において受信したＳＩＰ情報（ＡＣＫ）を移動局１００Ｂに送信する。
【０１０８】
ステップＳ１１６において、移動局１００Ａ、１００Ｂを参加中移動局とするグループ通話が開始される。ここで、移動局１００Ｃが、未参加移動局となる。
【０１０９】
なお、図示しないが、未参加移動局には、ＳＭＳ（ログイン要求）を受信してもＳＩＰサーバー４００に対するログイン処理を行うことができない移動局や呼び出し要求（ＩＮＶＩＴＥ）を受信しても応答しない移動局も含まれる。
【０１１０】
第２に、図７乃至図８を参照し、未参加移動局である移動局１００Ｃが、初期グループに自局が含まれるグループ通話の情報を問い合わせるための処理について説明する。
【０１１１】
図７に示すように、ステップＳ２０１において、移動局１００Ｃは、移動局１００Ｃのユーザによる問い合わせ処理の開始指示に応じて、ＳＩＰサーバー４００に対するログイン処理を行う。
【０１１２】
ステップＳ２０２において、ＳＩＰサーバー４００は、ログイン処理が成功したことを示すＳＩＰ情報（ＡＣＫ）を移動局１００Ｃに送信する。
【０１１３】
ステップＳ２０３において、移動局１００Ｃは、移動局１００Ｃの識別情報を含む問い合わせ要求をＳＩＰサーバー４００に送信する。
【０１１４】
ステップＳ２０４において、ＳＩＰサーバー４００は、グループ通話管理ＤＢ４１０を参照し、移動局１００Ｃの識別情報と一致する初期メンバーの識別情報に関連付けられている発信側移動局の識別情報、発信日時、初期メンバーの識別情報、参加中メンバーの識別情報、グループ通話ステータスを抽出する。
【０１１５】
例えば、図３に示す情報がグループ通話管理ＤＢ４１０に記憶されている場合、移動局１００Ｃの識別情報に基づいて、ＳＩＰサーバー４００は、グループ通話情報Ｇ１〜Ｇ３を抽出する。
【０１１６】
ステップＳ２０５において、ＳＩＰサーバー４００は、ステップＳ２０４において抽出したグループ通話情報を移動局１００Ｃに送信する。
【０１１７】
ステップＳ２０６において、移動局１００Ｃは、受信したグループ通話情報に基づいて、メモリ１０９に記憶されている着信履歴を更新する。
【０１１８】
また、移動局１００Ｃは、受信したグループ通話情報に基づいて、図８に示すように表示画面を生成する。ここで、図３及び図８を参照し、移動局１００Ｃがグループ通話情報に基づいて生成する表示画面について説明する。なお、図３、図８に示すグループ通話情報Ｇ１〜Ｇ３、発信側移動局の識別情報Ｇ１１、Ｇ３１、発信日時Ｇ１２、初期メンバーの識別情報Ｇ１３、参加中メンバーの識別情報Ｇ１４、グループ通話ステータスＧ３５はそれぞれ対応するものとする。
【０１１９】
図８（ａ）に示すように、移動局１００Ｃは、発信日時順にグループ通話情報Ｇ１〜Ｇ３を表示する表示画面を生成する。例えば、グループ通話情報Ｇ１では、発信側移動局の識別情報Ｇ１１に関連付けられているユーザ名称と、発信日時Ｇ１２とが表示される。グループ通話情報Ｇ３のように、発信側移動局の識別情報Ｇ３１に関連付けられている電話番号や、終了したグループ通話であることを示す情報３５が表示されてもよい。
【０１２０】
尚、ユーザ名称は、移動局１００Ｃのメモリ１０９に記憶しているアドレス帳を参照して表示している。
【０１２１】
図８（ａ）に示す表示画面において、移動局１００Ｃのユーザがグループ通話情報Ｇ１とエリアＡ１（詳細）を選択する操作を行うと、図８（ｂ）又は図８（ｃ）に示す表示画面に遷移する。
【０１２２】
図８（ｂ）に示す表示画面では、初期メンバーの識別情報Ｇ１３に関連付けられているユーザ名称と、参加メンバーを示す情報Ｇ１４とが表示される。
【０１２３】
図８（ｃ）に示す表示画面では、参加メンバーの識別情報Ｇ１４に関連付けられているユーザ名称のみが表示される。
【０１２４】
また、図８（ａ）に示す表示画面において、移動局１００Ｃのユーザが、通話中のグループ通話の情報であるグループ通話情報Ｇ１とエリアＡ２（参加）を選択する操作を行った場合、図８（ｂ）（ｃ）に示す表示画面において、移動局１００ＣのユーザがエリアＡ３（参加）、エリアＡ４（参加）を選択する操作を行った場合、図８（ｄ）に示す表示画面に遷移する。
【０１２５】
図８（ｄ）に示す表示画面では、移動局１００Ｃのユーザに、グループ通話に途中参加するか否かを確認する情報が表示される。ここで、移動局１００Ｃのユーザが、グループ通話に途中参加することを示すエリアＡ５（参加）を選択する操作を行った場合、図７のステップＳ２０７ａに進む。
【０１２６】
図７に示すように、ステップＳ２０７ａにおいて、移動局１００Ｃは、移動局１００Ａに移動局１００Ｃに対する呼び出し要求（ＩＮＶＩＴＥ）の送信要求（ＩＮＦＯ）を送信する。また、移動局１００Ｃに対する呼び出し要求（ＩＮＶＩＴＥ）の送信要求（ＩＮＦＯ）を受信した移動局１００Ａは、ＳＩＰサーバー４００に、移動局１００Ｃの呼び出し要求（ＩＮＶＩＴＥ）を送信する。ＳＩＰサーバー４００から移動局１００Ｃの呼び出し要求（ＩＮＶＩＴＥ）を受信した移動局１００Ｃは、ＳＩＰサーバー４００に対して応答（２００  ＯＫ）し、グループ通話に途中参加する。
【０１２７】
一方、図８（ａ）に示す表示画面において、移動局１００Ｃのユーザが、終了済みのグループ通話のグループ通話情報Ｇ３とエリアＡ２（参加）を選択する操作を行った場合、図８（ｅ）に示す表示画面に遷移する。
【０１２８】
図８（ｅ）に示す表示画面では、移動局１００Ｃのユーザに、終了済みのグループ通話の初期メンバーにおけるグループ通話を再度開始するかを確認する情報が表示される。
【０１２９】
ここで、移動局１００Ｃのユーザが、終了済みのグループ通話の初期メンバーにおけるグループ通話を再度開始する操作を行った場合、図７のステップＳ２０７ｂに進む。
【０１３０】
図７に示すように、ステップＳ２０７ｂにおいて、終了済みのグループ通話の初期グループに含まれる自局以外の移動局の呼び出し要求（ＩＮＶＩＴＥ）をＳＩＰサーバー４００に送信することによって、新たにグループ通話を発信（開始）する。
【０１３１】
（作用・効果）
本実施形態に係る無線通信ネットワーク及び通信方法によれば、ＳＩＰサーバー４００（サーバー）が、初期メンバー（初期グループ移動局）の識別情報と、参加中メンバーの（参加中移動局）の識別情報とを記憶するグループ通話管理ＤＢ４１０を有する。また、ＳＩＰサーバー４００は、移動局１００Ｃ（未参加移動局）から送信された移動局１００Ｃの識別情報に基づいて、移動局１００Ｃが初期グループに含まれるグループ通話に参加している参加中移動局の識別情報をグループ通話管理ＤＢ４１０から抽出する。
【０１３２】
したがって、グループ通話に参加していない移動局１００Ｃ（未参加移動局）であっても、移動局１００Ｃの識別情報を送信することによって、移動局１００Ｃが初期グループに含まれるグループ通話に参加している参加中移動局の識別情報を取得することができる。
【０１３３】
なお、本実施形態に係る無線通信ネットワーク及び通信方法では、未参加移動局又は初期グループに含まれていない移動局のグループ通話への途中参加や、参加中移動局のグループ通話からの離脱に応じて、グループ通話管理ＤＢ４１０に記憶されている参加中移動局の識別情報が更新される。
【０１３４】
このように、参加中移動局が入れ替わるグループ通話においても、移動局１００Ｃは、参加中移動局を容易に把握することができる。
【０１３５】
また、本実施形態に係る無線通信ネットワーク及び通信方法によれば、移動局１００Ｃは、ＳＩＰサーバー４００から取得したグループ通話情報を着信履歴として記憶する。
【０１３６】
したがって、移動局１００Ｃが初期グループに含まれるグループ通話が開始された時点において、回線交換ネットワークのエリア外又はパケット交換ネットワークのエリア外に在圏していたため、移動局１００Ａ（発信側移動局）からの呼び出し要求（ＩＮＶＩＴＥ）を受信できなかった場合であっても、自局が初期グループに含まれるグループ通話の着信履歴を残すことができる。
【０１３７】
さらに、移動局１００Ｃは、当該着信履歴に基づいて、移動局１００Ｃに対する呼び出し要求（ＩＮＶＩＴＥ）の送信要求（ＩＮＦＯ）を送信すべき参加中移動局を特定することができる。移動局１００Ｃに対する呼び出し要求（ＩＮＶＩＴＥ）の送信要求（ＩＮＦＯ）を受信した参加中移動局は、移動局１００Ｃに対する呼び出し要求（ＩＮＶＩＴＥ）を送信する。このように、参加中移動局から誘われることによって、移動局１００Ｃは、グループ通話に途中参加することができる。
【０１３８】
また、移動局１００Ｃは、当該着信履歴に基づいて、終了済みのグループ通話の初期グループに含まれる自局以外の移動局の識別情報を用いて、呼び出し要求（ＩＮＶＩＴＥ）（開始要求）を生成し、発呼することによって、新たにグループ通話を開始することができる。
【０１３９】
また、本実施形態に係る無線通信ネットワーク及び通信方法によれば、移動局１００Ｃは、ＳＩＰサーバー４００から取得したグループ通話情報を表示する。
【０１４０】
したがって、移動局１００Ｃのユーザは、現時点でグループ通話に参加している参加中移動局のユーザを確認してから、グループ通話に途中参加するか否かを決定することができる。また、移動局１００Ｃのユーザは、表示画面に従って、継続中のグループ通話に途中参加したり、終了済みのグループ通話を新たに開始したりすることができるため、ユーザの利便性を向上させることができる。
【０１４１】
（その他の実施形態）
なお、本実施形態では、通信プロトコルとしてＳＩＰを用いる場合について説明したが、本発明は、かかる場合に限定されることはなく、第実施形態の動作を実現することができる他の通信プロトコルがあれば、当該他の通信プロトコルを用いた場合にも適用可能である。
【０１４２】
例えば、上述の実施形態では、移動局１００Ｃからの問い合わせ要求は、ＳＩＰサーバー４００にＳＩＰのメッセージ等を用いて、ＳＩＰサーバー４００に直接送信されるものとして説明した。しかし、移動局１００Ｃからの問い合わせ要求は、例えば、ＳＭＳサーバー５００によって提供されるショートメッセージサービスを用いて、ＳＭＳサーバー５００を介してＳＩＰサーバー４００に送信されてもよい。また、Ｅ−ＭＡＩＬサービス等を用いることも可能である。
【０１４３】
同様に、ＳＩＰサーバー４００から送信されるグループ通話情報も、移動局１００Ｃに直接送信されなくとも、ショートメッセージサービスやＥ−ＭＡＩＬを用いて送信されてもよい。
【０１４４】
また、上述の実施形態では、ＳＩＰサーバー４００から送信されるグループ通話情報は、発信側移動局の識別情報と、発信日時と、初期メンバーの識別情報と、参加中メンバーの識別情報と、グループ通話ステータスを全て含むものとして説明したが、いずれか１つであっても、組み合わせたものであってもよい。
【０１４５】
また、上述の実施形態では、無線通信ネットワーク１に設けられたサーバーは、ＳＭＳサーバー５００及びＳＩＰサーバー４００であるが、これに限定されるものではない。具体的には、無線通信ネットワーク１は、ＳＭＳサーバー５００及びＳＩＰサーバー４００に加えて、グループ通話を管理するグループ通話管理サーバーを有していてもよい。この場合には、ＳＩＰサーバー４００に設けられたグループ通話管理ＤＢ４１０は、グループ通話管理サーバーに設けられていてもよい。
【０１４６】
また、グループ通話の定義は、上記実施例に限らない。例えば、グループ通話中に新たに追加要求した移動局が上記実施例のように参加出来ない／参加しない場合に、後で問い合わせる際にも適用可能である。
【０１４７】
以上、本発明の一例を説明したが、具体例を例示したに過ぎず、特に本発明を限定するものではなく、各部の具体的構成等は、適宜設計変更可能である。また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１４８】
【図１】本発明の実施形態に係る無線通信ネットワークの全体概略構成図である。
【図２】本発明の実施形態に係るＳＩＰサーバーのブロック構成図である。
【図３】本発明の実施形態に係るグループ通話管理ＤＢの一例を示す図である。
【図４】本発明の実施形態に係る移動局１００のブロック構成図である。
【図５】本発明の実施形態に係る移動局１００のＣＰＵのブロック構成図である。
【図６】本発明の実施形態に係る無線通信ネットワークにおいて、移動局１００Ａがグループ通話を開始する動作を示すシーケンス図である。
【図７】本発明の実施形態に係る無線通信ネットワークにおいて、移動局１００Ａがグループ通話を開始する動作を示すシーケンス図である。
【図８】本発明の実施形態に係る移動局１００Ｃの表示画面を示す図ある。
【符号の説明】
【０１４９】
１…無線通信ネットワーク、１００Ａ〜１００Ｃ…移動局、１０１…アンテナ、１０２…変換器、１０３…パワーアンプ、１０４…音声入出力部、１０４ａ…マイク、１０４ｂ…スピーカ、１０５…映像入出力部、１０５ａ…カメラ、１０５ｂ…表示部、１０６…コーデック部、１０６ａ…音声コーデック部、１０６ｂ…映像コーデック部、１０７…ベースバンドプロセッサ、１０８…操作部、１０９…メモリ、１１０…ＣＰＵ、１１１…グループ通話処理部、１１２…問い合わせ処理部、１１３…着信履歴更新部、１１４…途中参加処理部、２００ａ、２００ｂ…基地局、３００ａ…パケット交換ネットワーク、３００ｂ…回線交換ネットワーク、４００…ＳＩＰサーバー、４１０…呼制御処理部、４１０…グループ通話管理ＤＢ、４２０…呼制御処理部、４３０…グループ登録部、４４０…検索部、４５０…問い合わせ処理部、５００…ＳＭＳサーバー、Ａ１〜Ａ５…エリア、Ｇ１１、Ｇ３１…発信側移動局の識別情報、Ｇ１２…発信日時、Ｇ１３…初期メンバーの識別情報、Ｇ１４…参加中メンバーの識別情報、Ｇ１〜Ｇ３…グループ通話情報、Ｇ３５…グループ通話ステータス
【図１】
0004749217.tif 000002
【図２】
0004749217.tif 000003
【図３】
0004749217.tif 000004
【図４】
0004749217.tif 000005
【図５】
0004749217.tif 000006
【図６】
0004749217.tif 000007
【図７】
0004749217.tif 000008
【図８】
0004749217.tif 000009